(57)【要約】【課題】比較的簡易な構成で、表示パネルが収容状態にある間に無駄に電力が消費される事態の発生を適切に抑制し得る技術を提供する。【解決手段】表示パネルは、ディスプレイと、ディスプレイに表示される画面の背景を照明するためのバックライトと、光を検出し、検出される光の明るさを測定するセンサと、を有し、ディスプレイを外部から視認可能な使用状態と、ディスプレイを外部から視認不可能な収容状態と、の間で選択的に動作可能である。光源は、表示パネルが収容状態である間に点灯する。センサは、表示パネルが収容状態である間には、光源が発する光を検出し、表示パネルが使用状態である間には、表示パネルの周囲の光を検出する。制御装置は、センサが検出する光の明るさが閾値レベルを上回る場合にバックライトを消灯又は第１明度で点灯させ、閾値レベルを下回る場合にバックライトを第１明度より明るい第２明度で点灯させる。【選択図】図１
2020008265.tif 000002
【特許請求の範囲】
【請求項１】
所定の機器のための情報表示装置であって、
表示パネルと、
光源と、
制御装置と、を備え、
前記表示パネルは、
前記所定の機器に関する情報を含む画面を表示するためのディスプレイと、前記ディスプレイに表示される前記画面の背景を照明するためのバックライトと、光を検出し、検出される光の明るさを測定するセンサと、を有しているとともに、
前記ディスプレイを外部から視認可能な使用状態と、前記ディスプレイを外部から視認不可能な収容状態と、の間で選択的に動作可能であり、
前記光源は、少なくとも前記表示パネルが前記収容状態である間に点灯し、
前記センサは、前記表示パネルが前記収容状態である間には、前記光源が発する光を検出し、前記表示パネルが前記使用状態である間には、前記表示パネルの周囲の光を検出し、
前記制御装置は、
前記センサが検出する光の明るさが閾値レベルを上回る第１の場合に、前記表示パネルに、前記バックライトを消灯させること又は前記バックライトを第１明度で点灯させることを含む第１動作を実行させ、
前記センサが検出する光の明るさが前記閾値レベルを下回る第２の場合に、前記表示パネルに、前記バックライトを前記第１明度よりも明るい第２明度で点灯させることを含む第２動作を実行させ、
前記閾値レベルは、明るさが当該レベルを下回る場合に、前記表示パネルの周囲が暗いと判断されるべきレベルであり、
前記光源が発する光の明るさは、前記閾値レベルを上回る、
情報表示装置。
【請求項２】
前記表示パネルは、さらに、前記ディスプレイとは別体に設けられ、点灯することによって前記所定の機器の動作状態を示す状態表示用照明を備え、
前記光源は、点灯時に、周期的なパルス波形を有する光を発し、
前記制御装置は、
前記第１の場合において、さらに、前記センサが検出する光の波形が前記周期的なパルス波形ではない第１種の場合に、前記表示パネルに、前記バックライトを消灯させる又は前記第１明度で点灯させるとともに、前記状態表示用照明を点灯させることを含む第１種の第１動作を実行させ、
前記第１の場合において、さらに、前記センサが検出する光の波形が前記周期的なパルス波形である第２種の場合に、前記表示パネルに、前記バックライトを消灯させる又は前記第１明度で点灯させるとともに、前記状態表示用照明を消灯させることを含む第２種の第１動作を実行させる、
請求項１に記載の情報表示装置。
【請求項３】
前記表示パネルは、さらに、前記ディスプレイとは別体に設けられ、点灯することによって前記所定の機器の動作状態を示す状態表示用照明を備え、
前記光源の光の明るさのレベルは、前記使用状態の前記表示パネルの周囲が明るい場合における明るさのレベルよりも高く、
前記制御装置は、
前記第１の場合において、さらに、前記センサが検出する光の明るさが、前記閾値レベルと、前記閾値レベルよりも明るいレベルである特定レベルと、の間である第３種の場合に、前記バックライトを消灯させる又は前記第１明度で点灯させるとともに、前記状態表示用照明を点灯させることを含む第１種の第１動作を実行させ、
前記第１の場合において、さらに、前記センサが検出する光の明るさが、前記特定レベルを上回る第４種の場合に、前記バックライトを消灯させる又は前記第１明度で点灯させるとともに、前記状態表示用照明を消灯させることを含む第２種の第１動作を実行させ、
前記特定レベルは、前記使用状態の前記表示パネルの周囲が明るい場合における明るさの最大レベルである、
請求項１に記載の情報表示装置。
【請求項４】
前記第１種の第１動作は、前記表示パネルに、前記バックライトを前記第１明度で点灯させるとともに、前記状態表示用照明を点灯させることを含む動作であり、
前記第２種の第１動作は、前記表示パネルに、前記バックライトと前記状態表示用照明をともに消灯させることを含む動作である、
請求項２又は３に記載の情報表示装置。
【請求項５】
前記光源は、前記所定の機器の電源がオンされている間に常時点灯する、
請求項１から４のいずれか一項に記載の情報表示装置。
【請求項６】
前記光源は、点灯することによって前記所定の機器の電源がオンされていることを示す電源オン表示用ＬＥＤである、
請求項５に記載の情報表示装置。
【発明の詳細な説明】
【技術分野】
【０００１】
本明細書で開示する技術は、所定の機器のための情報表示装置に関する。
【背景技術】
【０００２】
特許文献１には、表示パネルと、制御装置と、を備える所定の機器のための情報表示装置が開示されている。表示パネルは、所定の機器に関する情報を含む画面を表示するためのディスプレイと、ディスプレイに表示される画面の背景を照明するためのバックライトと、装置周囲の光を検出し、検出される光の明るさを測定するセンサと、を有している。制御装置は、センサが検出する光の明るさが所定レベルよりも明るいと判断される場合、表示パネルのバックライトを消灯させ、センサが検出する光の明るさが所定レベルよりも暗いと判断される場合、表示パネルのバックライトを点灯させる。装置の周囲が暗い場合に限って表示パネルのバックライトを点灯させることにより、表示パネルの視認性の向上を図っている。
【先行技術文献】
【特許文献】
【０００３】
【特許文献１】特開２００８−２０２８２８号公報
【発明の概要】
【発明が解決しようとする課題】
【０００４】
表示パネルが、ディスプレイを外部から視認可能な使用状態（例えば、表示パネルが所定の機器の筐体の外に突出した状態）と、ディスプレイを外部から視認不可能な収容状態（例えば、表示パネルが所定の機器の筐体内に収容された状態）と、の間で選択的に動作可能である場合がある。その場合、制御装置は、センサが検出する光の明るさが所定レベルよりも暗いと判断される場合が、実際には、表示パネルが収容状態にある場合であるのか、表示パネルが使用状態であって周囲が暗い場合であるのか、のどちらであるのかを判断できない場合がある。そのため、表示パネルが収容状態にある間に表示パネルのバックライトが無駄に点灯し、無駄に電力が消費されてしまう事態が発生するおそれもある。
【０００５】
この点、表示パネルが収容状態と使用状態のどちらであるのかを判定するための状態判定手段をさらに設けることによって、制御装置に、表示パネルが収容状態にある場合であるのか、表示パネルが使用状態であって周囲が暗い場合であるのか、を区別させ、表示パネルが使用状態であって周囲が暗い場合に限ってバックライトを点灯させる構成を採用することも考えられる。しかしながら、その場合、情報表示装置に状態判定手段とセンサの二つの検出手段を設けなければならず、装置が複雑化するおそれがある。
【０００６】
本明細書では、比較的簡易な構成で、表示パネルが収容状態にある間に無駄に電力が消費されてしまう事態の発生を適切に抑制し得る技術を提供する。
【課題を解決するための手段】
【０００７】
本明細書は、所定の機器のための情報表示装置を開示する。前記情報表示装置は、表示パネルと、光源と、制御装置と、を備え、前記表示パネルは、前記所定の機器に関する情報を含む画面を表示するためのディスプレイと、前記ディスプレイに表示される前記画面の背景を照明するためのバックライトと、光を検出し、検出される光の明るさを測定するセンサと、を有しているとともに、前記ディスプレイを外部から視認可能な使用状態と、前記ディスプレイを外部から視認不可能な収容状態と、の間で選択的に動作可能であり、前記光源は、少なくとも前記表示パネルが前記収容状態である間に点灯し、前記センサは、前記表示パネルが前記収容状態である間には、前記光源が発する光を検出し、前記表示パネルが前記使用状態である間には、前記表示パネルの周囲の光を検出し、前記制御装置は、前記センサが検出する光の明るさが閾値レベルを上回る第１の場合に、前記表示パネルに、前記バックライトを消灯させること又は前記バックライトを第１明度で点灯させることを含む第１動作を実行させ、前記センサが検出する光の明るさが前記閾値レベルを下回る第２の場合に、前記表示パネルに、前記バックライトを前記第１明度よりも明るい第２明度で点灯させることを含む第２動作を実行させ、前記閾値レベルは、明るさが当該レベルを下回る場合に、前記表示パネルの周囲が暗いと判断されるべきレベルであり、前記光源が発する光の明るさは、前記閾値レベルを上回る。
【０００８】
一般的に、表示パネルが使用状態であって周囲が明るい場合には、視認性の確保のためにバックライトを明るく点灯させる必要性は低い。また、表示パネルが収容状態である場合、ディスプレイを外部から視認できないため、バックライトを点灯させる必要はない。反対に、表示パネルが使用状態であって周囲が暗い場合には、視認性の確保のためにバックライトを明るく点灯させる必要性が高い。
【０００９】
上記の構成によると、センサは、表示パネルが収容状態である間には、光源が発する光を検出し、表示パネルが使用状態である間には、表示パネルの周囲の光を検出する。光源が発する光の明るさは、閾値レベルを上回る。即ち、センサが検出する光の明るさが閾値レベルを上回ると判定される第１の場合は、表示パネルが使用状態であって周囲が明るい場合と、表示パネルが収容状態である場合とのいずれかである。一方、センサが検出する光の明るさが閾値レベルを下回ると判定される第２の場合は、表示パネルが使用状態であって周囲が暗い場合である。上記の構成によると、制御装置は、バックライトを明るく点灯させる必要性が低い第１の場合に、表示パネルに第１動作を実行させ、バックライトを明るく点灯させる必要性が高い第２の場合に、表示パネルに第２動作を実行させる。従って、上記の構成によると、情報表示装置は、表示パネルが収容状態と使用状態のどちらであるのかを判定するための状態判定手段等を設けることなく、比較的簡易な構成により、表示パネルが収容状態にある間に表示パネルのバックライトが無駄に明るく点灯することによって無駄に電力が消費されてしまう事態の発生を適切に抑制することができる。
【００１０】
前記表示パネルは、さらに、前記ディスプレイとは別体に設けられ、点灯することによって前記所定の機器の動作状態を示す状態表示用照明を備えてもよい。前記光源は、点灯時に、周期的なパルス波形を有する光を発してもよい。前記制御装置は、前記第１の場合において、さらに、前記センサが検出する光の波形が前記周期的なパルス波形ではない第１種の場合に、前記表示パネルに、前記バックライトを消灯させる又は前記第１明度で点灯させるとともに、前記状態表示用照明を点灯させることを含む第１種の第１動作を実行させ、前記第１の場合において、さらに、前記センサが検出する光の波形が前記周期的なパルス波形である第２種の場合に、前記表示パネルに、前記バックライトを消灯させる又は前記第１明度で点灯させるとともに、前記状態表示用照明を消灯させることを含む第２種の第１動作を実行させてもよい。
【００１１】
センサが検出する光の明るさが閾値レベルを上回る第１の場合であっても、センサが光源の光を検出する場合（即ち表示パネルが収容状態である場合）と、センサが表示パネルの周囲の光を検出する場合（即ち表示パネルが使用状態である場合）とで、センサが検出する光の波形が異なる。表示パネルが収容状態である場合、表示パネルのバックライトを明るく点灯させる必要もないし、状態表示用照明を点灯させる必要もない。表示パネルが使用状態であって周囲が明るい場合には、バックライトを明るく点灯させる必要性は低いが、所定の機器の動作状態（例えば、所定の機器の動作モード、稼働箇所等）を示すために状態表示用照明を点灯させる必要がある。上記の構成によると、センサは、表示パネルが収容状態である場合、周期的なパルス波形を有する光源からの光を検出し、表示パネルが使用状態である場合、周期的なパルス波形を有さない周囲環境の光を検出する。上記の構成によると、情報表示装置は、表示パネルが使用状態であって周囲が明るい場合（即ち第１種の場合）と、表示パネルが収容状態である場合（即ち第２種の場合）と、表示パネルが使用状態であって周囲が暗い場合（即ち第２の場合）と、の各場合に応じて、表示パネルに適切な動作を実行させることができる。
【００１２】
前記表示パネルは、さらに、前記ディスプレイとは別体に設けられ、点灯することによって前記所定の機器の動作状態を示す状態表示用照明を備えてもよい。前記光源の光の明るさのレベルは、前記使用状態の前記表示パネルの周囲が明るい場合における明るさのレベルよりも高くてもよい。前記制御装置は、前記第１の場合において、さらに、前記センサが検出する光の明るさが、前記閾値レベルと、前記閾値レベルよりも明るいレベルである特定レベルと、の間である第３種の場合に、前記表示パネルに、前記バックライトを消灯させる又は前記第１明度で点灯させるとともに、前記状態表示用照明を点灯させることを含む第１種の第１動作を実行させ、前記第１の場合において、さらに、前記センサが検出する光の明るさが、前記特定レベルを上回る第４種の場合に、前記表示パネルに、前記バックライトを消灯させる又は前記第１明度で点灯させるとともに、前記状態表示用照明を消灯させることを含む第２種の第１動作を実行させてもよい。前記特定レベルは、前記使用状態の前記表示パネルの周囲が明るい場合における明るさの最大レベルであってもよい。
【００１３】
センサが検出する光の明るさが閾値レベルを上回る第１の場合であっても、センサが光源の光を検出する場合（即ち表示パネルが収容状態である場合）と、センサが表示パネルの周囲の光を検出する場合（即ち表示パネルが使用状態である場合）とで、センサが検出する光の明るさのレベルが異なる。上記の構成では、光源の光の明るさのレベルは、使用状態の表示パネルの周囲が明るいときの光（即ち周囲環境の光）の明るさのレベルよりも高い。そのため、上記の構成によると、情報表示装置は、表示パネルが使用状態であって周囲が明るい場合（即ち第３種の場合）と、表示パネルが収容状態である場合（即ち第４種の場合）と、表示パネルが使用状態であって周囲が暗い場合（即ち第２の場合）と、の各場合に応じて、表示パネルに適切な動作を実行させることができる。
【００１４】
前記第１種の第１動作は、前記表示パネルに、前記バックライトを前記第１明度で点灯させるとともに、前記状態表示用照明を点灯させることを含む動作であってもよい。前記第２種の第１動作は、前記表示パネルに、前記バックライトと前記状態表示用照明をともに消灯させることを含む動作であってもよい。
【００１５】
表示パネルが収容状態である場合（即ち第２種の場合、又は、第４種の場合）には、バックライトと状態表示用照明をともに点灯させる必要はない。一方、表示パネルが使用状態であって周囲が明るい場合（即ち第１種の場合、又は、第３種の場合）には、バックライトを明るく点灯させる必要性は低いが、所定の機器の動作状態（例えば、所定の機器の動作モード、稼働箇所等）を示すために状態表示用照明を点灯させる必要がある。上記の構成によると、情報表示装置は、表示パネルが使用状態であって周囲が明るい場合（即ち第１種の場合又は第３種の場合）と、表示パネルが収容状態である場合（即ち第２種の場合又は第４種の場合）と、表示パネルが使用状態であって周囲が暗い場合（即ち第２の場合）と、の各場合に応じて、表示パネルにより適切な動作を実行させることができる。
【００１６】
前記光源は、前記所定の機器の電源がオンされている間に常時点灯してもよい。
【００１７】
この構成によると、センサは、表示パネルが収容状態である間、常時光源の光を検出することができる。そのため、制御装置は、第１の場合と第２の場合とを、常時適切に判定し分けることができる。
【００１８】
前記光源は、点灯することによって前記所定の機器の電源がオンされていることを示す電源オン表示用ＬＥＤであってもよい。
【００１９】
この構成によると、情報表示装置は、表示パネルが収容状態である間に点灯する光源を電源オン表示用ＬＥＤとは別に設ける必要がない。情報表示装置の構成を簡素化し得る。
【図面の簡単な説明】
【００２０】
【図１】情報表示装置２を模式的に示す図。
【図２】情報表示装置２の構成を示すブロック図。
【図３】第１，第３実施例において、表示パネル１０が収容状態である間にセンサ３０が検出する光の波形及び明るさのレベルを示すグラフ。
【図４】第１〜第４実施例において、表示パネル１０が使用状態であって、周囲が明るい間にセンサ３０が検出する光の波形及び明るさのレベルを示すグラフ。
【図５】第１〜第４実施例において、表示パネル１０が使用状態であって、周囲が暗い間にセンサ３０が検出する光の波形及び明るさのレベルを示すグラフ。
【図６】第１，第３実施例の制御装置７０が実行する判定処理を示すフローチャート。
【図７】第２，第４実施例において、表示パネル１０が収容状態である間にセンサ３０が検出する光の波形及び明るさのレベルを示すグラフ。
【図８】第２，第４実施例の制御装置７０が実行する判定処理を示すフローチャート。
【発明を実施するための形態】
【００２１】
（第１実施例）
（情報表示装置２の構成；図１、図２）
図１に示されるように、本実施例の情報表示装置２は、ビルトインガスコンロ、ガステーブル等の加熱調理器具１に組み込まれる装置であって、加熱調理器具１に関する情報を表示するための装置である。図１、図２に示すように、情報表示装置２は、筐体４と、表示パネル１０と、導光パイプ４０と、電源オン表示用ＬＥＤ５０と、制御装置７０と、を備えている。
【００２２】
筐体４は、加熱調理器具１の一部を構成する筐体である。
【００２３】
表示パネル１０は、加熱調理器具１に関する情報を表示したり、加熱調理器具１に指示を入力したりするためのパネルユニットである。図１、図２に示すように、表示パネル１０は、前面パネル１２と、天面パネル１４と、ディスプレイ２０と、バックライト２２と、状態表示用ＬＥＤ２４と、操作部２６と、センサ３０と、を備える。
【００２４】
本実施例の表示パネル１０はいわゆるカンガルーポケット型の表示パネルである。即ち、図１に示すように、表示パネル１０は、ディスプレイ２０を外部から視認不可能な収容状態と、ディスプレイ２０を外部から視認可能な使用状態と、の間で選択的に動作させることが可能である。収容状態では、表示パネル１０の主要部分（即ち、天面パネル１４の表面に露出した部分）は、筐体４の内部に収容される。この場合、前面パネル１２は、筐体４の前面と面一になるように配置され、外側からは前面パネル１２のみが視認可能となる。使用状態では、前面パネル１２が、下辺を回転軸として前方に倒れ、表示パネル１０の主要部分が筐体４の外側に露出する。
【００２５】
上記の通り、前面パネル１２は、表示パネル１０の前面に配置される化粧板である。天面パネル１４は、表示パネル１０の主要な部品（ディスプレイ２０等）が配置されるパネルである。ディスプレイ２０は、加熱調理器具１に関する情報を含む画面を表示するための表示手段である。ディスプレイ２０は、例えば液晶ディスプレイである。バックライト２２は、ディスプレイ２０に表示される画面の背景を照明するための照明部材である。
【００２６】
状態表示用ＬＥＤ２４は、ディスプレイ２０とは別体に設けられ、点灯することによって、加熱調理器具１の動作状態（例えば、加熱調理器具１の動作モードや、稼働箇所（コンロ、グリル等））を示すための照明部材である。本実施例では、天面パネル１４に複数個の状態表示用ＬＥＤ２４が設けられている。各状態表示用ＬＥＤ２４は、操作部２６の一部を構成するように設けられている。操作部２６は、ユーザが、加熱調理器具１に様々な指示を入力するための操作ボタン、ツマミ等である。本実施例では、天面パネル１４には複数個の操作部２６が設けられている。例えば、１個の操作部２６が押され、当該操作部２６に対応する機能が実行される場合、当該操作部２６に対応する状態表示用ＬＥＤ２４が点灯する。
【００２７】
センサ３０は、光を検出し、検出される光の明るさを測定するための照度センサである。センサ３０は、表示パネル１０が収容状態である間には筐体４内に配置され、筐体４内において、電源オン表示用ＬＥＤ５０が発する光を、導光パイプ４０を介して検出する。一方、センサ３０は、表示パネル１０が使用状態である間には、筐体４外に露出し、情報表示装置２の周囲の光を検出する。
【００２８】
電源オン表示用ＬＥＤ５０は、点灯することによって加熱調理器具１の電源がオンされていることを示すＬＥＤである。即ち、電源オン表示用ＬＥＤ５０は、加熱調理器具１の電源がオンされている間は常時点灯する。電源オン表示用ＬＥＤ５０はダイナミック点灯方式で点灯する。そのため、電源オン表示用ＬＥＤ５０が発する光の波形は、周期的なパルス波形を有する（図３参照）。
【００２９】
導光パイプ４０は、筐体４内に配置される光ファイバ製の導光部材である。導光パイプ４０は、筐体４内において、電源オン表示用ＬＥＤ５０から発光された光を、表示パネル１０が収容状態である場合のセンサ３０が検出可能な位置にガイドする。
【００３０】
制御装置７０は、ディスプレイ２０、バックライト２２、状態表示用ＬＥＤ２４、操作部２６、センサ３０、及び、電源オン表示用ＬＥＤ５０と電気的に接続されており、これらの要素の動作を制御する。具体的には、制御装置７０は、後述の判定処理（図６参照）を含む様々な処理を実行する。
【００３１】
（各状態においてセンサ３０が検出する光；図３〜図５）
図３〜図５を参照して、表示パネル１０の状態毎にセンサ３０が検出する光の波形及び明るさレベルについて説明する。図３〜図５は、各状態でセンサ３０の検出する光の波形及び明るさレベルを示すグラフであって、横軸が時間、縦軸が電圧をそれぞれ示す。縦軸が電圧を示すのは、センサ３０が、検出した光の明るさを電圧に変換して出力しているためである。縦軸の電圧の値が大きいほど、センサ３０が検出した光が明るいことを意味する。
【００３２】
図３は、表示パネル１０が収容状態である場合にセンサ３０が検出する光の波形及び明るさレベルを示す。この場合、センサ３０は、導光パイプ４０を介して導光される電源オン表示用ＬＥＤ５０の光を検出する。この場合、センサ３０が検出する光は、周期的なパルス波形を有する。パルス波形のうち、Ｈｉレベルが出力されている間の明るさのレベル（即ちピーク値のレベル）は、閾値Ｔｈ１より高い。閾値Ｔｈ１は、明るさが当該レベルを下回る場合に、使用状態の表示パネル１０の周囲が暗いと判断されるべきレベルである。閾値Ｔｈ１は、明るさが当該レベルを下回る場合に、バックライト２２の点灯なしにディスプレイ２０に表示された画面を視認することが難しいと判断されるべきレベルと言い換えてもよい。
【００３３】
図４は、表示パネル１０が使用状態であって、かつ、周囲が明るい場合にセンサ３０が検出する光の波形及び明るさレベルを示す。表示パネル１０が使用状態である場合、センサ３０は、周囲環境の光を検出する。この場合、センサ３０が検出する光は、一定レベルの明るさが継続する波形であって、パルス波形とは異なる波形を有する。周囲が明るい場合、センサ３０が検出する光の明るさレベルは、上記の閾値Ｔｈ１より高いが、閾値Ｔｈ２より低い。ここで、閾値Ｔｈ２は、閾値Ｔｈ１よりも明るいレベルであり、使用状態の表示パネル１０の周囲が明るい場合における明るさ（即ち、周囲環境の光（例えば室内光）の明るさ）の最大レベルである。閾値Ｔｈ２には後述の第２実施例で言及する。
【００３４】
図５は、表示パネル１０が使用状態であって、かつ、周囲が暗い場合にセンサ３０が検出する光の波形及び明るさレベルを示す。この場合も、センサ３０が検出する光は、一定レベルの明るさが継続する波形であって、パルス波形とは異なる波形を有する。ただし、周囲が暗い場合、センサ３０が検出する光の明るさレベルは、閾値Ｔｈ１、閾値Ｔｈ２のいずれのレベルよりも低い。
【００３５】
（判定処理；図６）
図６を参照して、本実施例の制御装置７０が実行する判定処理の内容を説明する。判定処理は、表示パネル１０の状態が「収容状態」、「使用状態であり周囲が明るい状態」、「使用状態である周囲が暗い状態」のいずれであるのかを判定し、判定結果に応じてバックライト２２及び状態表示用ＬＥＤ２４の点灯／消灯を切り替えるための処理である。制御装置７０は、加熱調理器具１の電源がオンされ、それに伴って情報表示装置２にも電力が供給されると、図６の処理を開始する。
【００３６】
Ｓ１０では、制御装置７０は、センサ３０が検出する光の波形が、周期的なパルス波形であるか否かを判断する。図３に示すように、表示パネル１０が収容状態である場合には、センサ３０が検出する光の波形は、周期的なパルス波形である。この場合、制御装置７０はＳ１０でＹＥＳと判断し、Ｓ１４に進む。一方、図４、図５に示すように、表示パネル１０が使用状態である場合には、センサ３０が検出する光の波形は、周期的なパルス波形ではない。この場合、制御装置７０はＳ１０でＮＯと判断し、Ｓ１２に進む。
【００３７】
Ｓ１４では、制御装置７０は、バックライト２２及び状態表示用ＬＥＤ２４を両方とも消灯させる。Ｓ１４を終えると、制御装置７０はＳ１０の判断に戻る。
【００３８】
Ｓ１２では、制御装置７０は、センサ３０が検出する光の明るさレベルが、閾値Ｔｈ１のレベル以上であるか否かを判断する。図４に示すように、表示パネル１０が使用状態であって周囲が明るい場合には、センサ３０が検出する光の明るさレベルは、閾値Ｔｈ１のレベルを上回る。この場合、制御装置７０はＳ１２でＹＥＳと判断し、Ｓ１６に進む。一方、図５に示すように、表示パネル１０が使用状態であって周囲が暗い場合には、センサ３０が検出する光の明るさレベルは、閾値Ｔｈ１のレベルを下回る。この場合、制御装置７０はＳ１２でＮＯと判断し、Ｓ１８に進む。
【００３９】
Ｓ１６では、制御装置７０は、バックライト２２を消灯させるとともに、状態表示用ＬＥＤ２４を点灯させる。Ｓ１６を終えると、制御装置７０はＳ１０の判断に戻る。
【００４０】
一方、Ｓ１８では、制御装置７０は、バックライト２２及び状態表示用ＬＥＤ２４を両方とも点灯させる。Ｓ１８を終えると、制御装置７０はＳ１０の判断に戻る。
【００４１】
以後、制御装置７０は、加熱調理器具１の電源がオフされ、情報表示装置２への電力供給が停止されるまでの間、上記のＳ１０〜Ｓ１８の各処理を繰り返し実行する。
【００４２】
以上、本実施例の情報表示装置２の構成及び動作について説明した。上記の通り、本実施例では、センサ３０は、表示パネル１０が収容状態である間には、電源オン表示用ＬＥＤ５０が発する光を検出し、表示パネル１０が使用状態である間には周囲の光を検出する。図３に示すように、電源オン表示用ＬＥＤ５０が発する光のピーク値の明るさレベル（即ちＨｉレベル）は、閾値Ｔｈ１レベルを上回る。即ち、本実施例の場合、センサ３０が検出する光の明るさが閾値Ｔｈ１のレベルを上回る場合は、表示パネル１０が使用状態であって周囲が明るい場合（図４参照）と、表示パネルが収容状態である場合（図３参照）とのいずれかであると言える。一方、センサ３０が検出する光の明るさが閾値Ｔｈ１のレベルを下回る場合は、表示パネル１０が使用状態であって周囲が暗い場合である。一般的に、表示パネル１０が使用状態であって周囲が明るい場合には、視認性の確保のためにバックライト２２を点灯させる必要性は低い。また、表示パネル１０が収容状態である場合も、ディスプレイ２０を外部から視認できないため、バックライト２２を点灯させる必要はない。反対に、表示パネルが使用状態であり、かつ、表示パネルの周囲が暗い場合には、視認性の確保のためにバックライトを点灯させる必要性が高い。すなわち、本実施例では、制御装置７０は、センサ３０が検出する光の明るさレベルが、閾値Ｔｈ１のレベル以上である場合には、表示パネル１０のバックライト２２を消灯させ（Ｓ１４、Ｓ１６）、センサ３０が検出する光の明るさレベルが、閾値Ｔｈ１のレベルを下回る場合には、バックライト２２を点灯させる（Ｓ１８）。従って、本実施例によると、情報表示装置２は、表示パネル１０が収容状態と使用状態のどちらであるのかを判定するための状態判定手段等を設けることなく、比較的簡易な構成により、表示パネル１０が収容状態にある間に表示パネル１０のバックライト２２が無駄に点灯してしまう事態の発生を適切に抑制することができる。その結果、本実施例によると、表示パネル１０が収容状態にある間に無駄に電力が消費されてしまう事態の発生を適切に抑制することができる。
【００４３】
センサ３０が検出する光の明るさレベルが閾値Ｔｈ１のレベルを上回る場合であっても、センサ３０が電源オン表示用ＬＥＤ５０の光を検出する場合（即ち表示パネル１０が収容状態である場合）と、センサ３０が表示パネル１０の周囲の光を検出する場合（即ち表示パネル１０が使用状態である場合）とで、センサ３０が検出する光の波形は異なる。表示パネル１０が収容状態である場合、表示パネル１０のバックライト２２及び状態表示用ＬＥＤ２４を点灯させる必要がない。表示パネル１０が使用状態であって周囲が明るい場合には、バックライト２２を点灯させる必要性は低いが、加熱調理器具１の動作状態（例えば、動作モード、稼働箇所等）を示すために状態表示用ＬＥＤ２４を点灯させる必要がある。本実施例によると、センサ３０は、表示パネル１０が収容状態である場合には、周期的なパルス波形を有する電源オン表示用ＬＥＤ５０からの光を検出し（図３参照）、表示パネル１０が使用状態である場合、周期的なパルス波形を有さない周囲環境の光を検出する（図４参照）。本実施例によると、情報表示装置２は、表示パネル１０が使用状態であって周囲が明るい場合（Ｓ１０でＮＯ、Ｓ１２でＹＥＳ）と、表示パネルが収容状態である場合（Ｓ１０でＹＥＳ）と、表示パネル１０が使用状態であって周囲が暗い場合（Ｓ１０でＮＯ、Ｓ１２でＮＯ）と、の各場合に応じて、表示パネルに適切な動作（Ｓ１４、Ｓ１６、Ｓ１８）を実行させることができる。
【００４４】
本実施例では、表示パネル１０が収容状態である場合にセンサ３０が光を検出する光源は、加熱調理器具１の電源がオンされている間に常時点灯される電源オン表示用ＬＥＤ５０である。そのため、本実施例では、センサ３０は、表示パネル１０が収容状態である間、常時電源オン表示用ＬＥＤ５０の光を検出することができる。そのため、制御装置７０は、表示パネル１０の状態を常時適切に判定し分けることができる。また、情報表示装置２は、表示パネル１０が収容状態である間に点灯する光源を電源オン表示用ＬＥＤ５０とは別に設ける必要がない。情報表示装置２の構成を簡素化することもできる。
【００４５】
本実施例と請求項の記載の対応関係を説明する。加熱調理器具１が「所定の機器」の一例である。電源オン表示用ＬＥＤ５０が「光源」の一例である。状態表示用ＬＥＤ２４が「状態表示用照明」の一例である。閾値Ｔｈ１のレベルが「閾値レベル」の一例である。Ｓ１４、Ｓ１６で実行される表示パネル１０の動作が「第１動作」の一例であり、Ｓ１８で実行される動作が「第２動作」の一例である。Ｓ１６で実行される動作が「第１種の第１動作」の一例であり、Ｓ１４で実行される動作が「第２種の第１動作」の一例である。
【００４６】
（第２実施例）
第２実施例の情報表示装置２について、第１実施例と異なる点を中心に説明する。本実施例の情報表示装置２も、基本的な構成及び動作は第１実施例と同様である（図１、図２、図４、図５参照）。
【００４７】
ただし、本実施例では、電源オン表示用ＬＥＤ５０がスタティック点灯方式で点灯する点が第１実施例とは異なる。そのため、第１実施例とは異なり、電源オン表示用ＬＥＤ５０が発する光の波形は、周期的なパルス波形を有さない（図７参照）。
【００４８】
図７は、本実施例において、表示パネル１０が収容状態である場合にセンサ３０が検出する光の波形及び明るさレベルを示す。上記の通り、本実施例では、電源オン表示用ＬＥＤ５０はスタティック点灯方式で点灯するため、センサ３０が検出する光は、一定のレベルが継続する波形を有する。即ち、本実施例では、センサ３０が検出する光の明るさレベルは、常時Ｈｉレベルである。Ｈｉレベルが出力されている間の明るさレベルは、上記の閾値Ｔｈ１及び閾値Ｔｈ２のレベルを上回る。上記の通り、閾値Ｔｈ２のレベルは、閾値Ｔｈ２は、閾値Ｔｈ１よりも明るいレベルであり、使用状態の表示パネル１０の周囲が明るい場合における明るさ（即ち、周囲環境の光（例えば室内光）の明るさ）の最大レベルである。即ち、本実施例では、表示パネル１０が収容状態である場合にセンサ３０が検出する光の明るさレベルは、使用状態の表示パネル１０の周囲が明るい場合における明るさよりも明るい。
【００４９】
そして、本実施例では、図８に示すように、制御装置７０が実行する判定処理の内容の一部も、第１実施例とは異なる。本実施例では、センサ３０が検出する光の明るさのレベルに基づいて、表示パネル１０の状態が「収容状態」、「使用状態であり周囲が明るい状態」、「使用状態である周囲が暗い状態」のいずれであるのかを判定し、表示パネル１０に、判定結果に応じた動作を行わせている点が第１実施例とは異なる。
【００５０】
（判定処理；図８）
Ｓ３０では、制御装置７０は、センサ３０が検出する光の明るさレベルが、閾値Ｔｈ１のレベル以上であるか否かを判断する。図７、図４に示すように、表示パネル１０が収容状態である場合、又は、表示パネル１０が使用状態であって周囲が明るい場合には、センサ３０が検出する光の明るさレベルは、閾値Ｔｈ１のレベルを上回る。この場合、制御装置７０はＳ３０でＹＥＳと判断し、Ｓ３２に進む。一方、図５に示すように、表示パネル１０が使用状態であって周囲が暗い場合には、センサ３０が検出する光の明るさレベルは、閾値Ｔｈ１のレベルを下回る。この場合、制御装置７０はＳ３０でＮＯと判断し、Ｓ３８に進む。
【００５１】
Ｓ３８では、制御装置７０は、バックライト２２及び状態表示用ＬＥＤ２４を両方とも点灯させる。Ｓ３８を終えると、制御装置７０はＳ３０の判断に戻る。
【００５２】
Ｓ３２では、制御装置７０は、センサ３０が検出する光の明るさレベルが、閾値Ｔｈ２のレベル以上であるか否かを判断する。図７に示すように、表示パネル１０が収容状態である場合には、センサ３０が検出する光の明るさレベルは、閾値Ｔｈ２のレベルを上回る。この場合、制御装置７０はＳ３２でＹＥＳと判断し、Ｓ３４に進む。一方、図４に示すように、表示パネル１０が使用状態であって周囲が明るい場合には、センサ３０が検出する光の明るさレベルは、閾値Ｔｈ２のレベルを下回る。この場合、制御装置７０はＳ３２でＮＯと判断し、Ｓ３６に進む。
【００５３】
Ｓ３４では、制御装置７０は、バックライト２２及び状態表示用ＬＥＤ２４を両方とも消灯させる。Ｓ３４を終えると、制御装置７０はＳ３０の判断に戻る。
【００５４】
Ｓ３６では、制御装置７０は、バックライト２２を消灯させるとともに、状態表示用ＬＥＤ２４を点灯させる。Ｓ３６を終えると、制御装置７０はＳ３０の判断に戻る。
【００５５】
以後、制御装置７０は、加熱調理器具１の電源がオフされ、情報表示装置２への電力供給が停止されるまでの間、上記のＳ３０〜Ｓ３８の各処理を繰り返し実行する。
【００５６】
以上、本実施例の情報表示装置２の構成及び動作について説明した。上記の通り、センサ３０が検出する光の明るさのレベルが閾値Ｔｈ１のレベルを上回る場合であっても（Ｓ３０でＹＥＳ）、センサ３０が電源オン表示用ＬＥＤ５０の光を検出する場合（即ち表示パネル１０が収容状態である場合）と、センサ３０が表示パネル１０の周囲の光を検出する場合（即ち表示パネル１０が使用状態である場合）とで、センサ３０が検出する光の明るさのレベルが異なる。本実施例では、電源オン表示用ＬＥＤ５０の光の明るさのレベルは、表示パネル１０の周囲が明るいときの光（即ち周囲環境の光）の明るさのレベルよりも高い（図７、図４参照）。本実施例によると、情報表示装置２は、表示パネル１０が使用状態であって周囲が明るい場合（Ｓ３２でＹＥＳ）と、表示パネルが収容状態である場合（Ｓ３２でＮＯ）と、表示パネル１０が使用状態であって周囲が暗い場合（Ｓ３０でＮＯ）と、の各場合に応じて、表示パネル１０に適切な動作（Ｓ３４、Ｓ３６、Ｓ３８）を実行させることができる。
【００５７】
本実施例と請求項の記載の対応関係を説明する。閾値Ｔｈ２のレベルが「特定レベル」の一例である。Ｓ３４、Ｓ３６で実行される表示パネル１０の動作が「第１動作」の一例であり、Ｓ３８で実行される動作が「第２動作」の一例である。Ｓ３６で実行される動作が「第１種の第１動作」の一例であり、Ｓ３４で実行される動作が「第２種の第１動作」の一例である。
【００５８】
（第３実施例）
第３実施例は、第１実施例の変形例である。本実施例の情報表示装置２も、基本的な構成及び動作は第１実施例と同様である（図１〜図６参照）。ただし、本実施例では、判定処理の一部の処理の内容が第１実施例とは異なる。
【００５９】
（判定処理；図６）
具体的には、本実施例では、図６のＳ１２でＹＥＳ（即ち、表示パネル１０の状態が使用状態であり周囲が明るい状態）と判断された後のＳ１６の処理、及び、Ｓ１２でＮＯ（即ち、表示パネル１０の状態が使用状態であり周囲が暗い状態）と判断された後のＳ１８の処理の内容が第１実施例とは異なる。
【００６０】
Ｓ１６では、制御装置７０は、バックライト２２を第１明度で点灯させるとともに、状態表示用ＬＥＤ２４を点灯させる。ここで、第１明度は、比較的低い明度である。即ち、本実施例では、表示パネル１０の状態が使用状態であり周囲が明るい場合には、比較的低い明度でバックライト２２を点灯させる。Ｓ１６を終えると、制御装置７０はＳ１０の判断に戻る。
【００６１】
Ｓ１８では、制御装置７０は、バックライト２２を第２明度で点灯させるとともに、状態表示用ＬＥＤ２４を点灯させる。ここで、第２明度は、第１明度よりも明るい明度である。即ち、本実施例では、表示パネル１０の状態が使用状態であり周囲が明るい場合には、比較的高い明度でバックライト２２を点灯させる。Ｓ１８を終えると、制御装置７０はＳ１０の判断に戻る。
【００６２】
本実施例によると、情報表示装置２は、表示パネル１０が使用状態である間において、周囲が明るいのか暗いのかに応じて、バックライト２２の明度を変えることができる。そのため、表示パネル１０が使用状態であって周囲が明るい場合と、表示パネル１０が収容状態である場合と、表示パネルが使用状態であって周囲が暗い場合と、の各場合に応じて、表示パネル１０により適切な動作を実行させることができる。
【００６３】
本実施例と請求項の記載の対応関係を説明する。本実施例でも、Ｓ１４、Ｓ１６で実行される表示パネル１０の動作が「第１動作」の一例であり、Ｓ１８で実行される動作が「第２動作」の一例である。Ｓ１６で実行される動作が「第１種の第１動作」の一例であり、Ｓ１４で実行される動作が「第２種の第１動作」の一例である。
【００６４】
（第４実施例）
第４実施例は、第２実施例の変形例である。本実施例の情報表示装置２も、基本的な構成及び動作は第２実施例と同様である（図１、図２、図４、図５、図７、図８参照）。ただし、本実施例でも、判定処理の一部の処理の内容が第２実施例とは異なる。
【００６５】
（判定処理；図８）
具体的には、本実施例では、図８のＳ３２でＮＯ（即ち、表示パネル１０の状態が使用状態であり周囲が明るい状態）と判断された後のＳ３６の処理、及び、Ｓ３０でＮＯ（即ち、表示パネル１０の状態が使用状態であり周囲が暗い状態）と判断された後のＳ３８の処理の内容が第２実施例とは異なる。
【００６６】
Ｓ３６では、制御装置７０は、バックライト２２を第１明度で点灯させるとともに、状態表示用ＬＥＤ２４を点灯させる。第１明度については、上記第３実施例と同様であるため詳しい説明は省略する。Ｓ３６を終えると、制御装置７０はＳ３０の判断に戻る。
【００６７】
Ｓ３８では、制御装置７０は、バックライト２２を第２明度で点灯させるとともに、状態表示用ＬＥＤ２４を点灯させる。第２明度についても、上記第３実施例と同様であるため詳しい説明は省略する。Ｓ３８を終えると、制御装置７０はＳ３０の判断に戻る。
【００６８】
本実施例による場合も、情報表示装置２は、表示パネル１０が使用状態である間において、周囲が明るいのか暗いのかに応じて、バックライト２２の明度を変えることができる。そのため、表示パネル１０が使用状態であって周囲が明るい場合と、表示パネル１０が収容状態である場合と、表示パネルが使用状態であって周囲が暗い場合と、の各場合に応じて、表示パネル１０により適切な動作を実行させることができる。
【００６９】
本実施例と請求項の記載の対応関係を説明する。本実施例でも、Ｓ３４、Ｓ３６で実行される表示パネル１０の動作が「第１動作」の一例であり、Ｓ３８で実行される動作が「第２動作」の一例である。Ｓ３６で実行される動作が「第１種の第１動作」の一例であり、Ｓ３４で実行される動作が「第２種の第１動作」の一例である。
【００７０】
以上、実施例について詳細に説明したが、これらは例示に過ぎず、特許請求の範囲を限定するものではない。特許請求の範囲に記載の技術には、以上に例示した具体例を様々に変形、変更したものが含まれる。  
【００７１】
（変形例１）上記の各実施例では、表示パネル１０が収容状態である場合にセンサ３０が光を検出するための光源は、加熱調理器具１の電源がオンされている間に常時点灯される電源オン表示用ＬＥＤ５０である。これに限られず、表示パネル１０が収容状態である場合にセンサ３０が光を検出するための光源は、常時点灯される光源であれば、電源オン表示用ＬＥＤ５０以外の光源であってもよい。
【００７２】
（変形例２）また、表示パネル１０が収容状態である場合にセンサ３０が光を検出するための光源は、常時点灯されなくてもよく、表示パネル１０が収容状態に移行した後の所定期間の間だけ点灯されるようにしてもよい。
【００７３】
（変形例３）第１実施例において、図６のＳ１０の判断と、Ｓ１２の判断と、の判断順序が逆であってもよい。
【００７４】
（変形例４）第１実施例において、図６のＳ１０の判断を省略してもよい。その場合、判定処理において、制御装置７０は、Ｓ１２の判断の結果に応じて、バックライト２２の点灯／消灯のみを切り替えるようにしてもよい。同様に、第２実施例において、図８のＳ３２の判断を省略してもよい。
【００７５】
（変形例５）電源オン表示用ＬＥＤ５０から発光された光を、表示パネル１０が収容状態である場合のセンサ３０が検出可能な位置にガイドする導光手段は、導光パイプ４０に限らず、任意の手段であってもよい。例えば、導光手段として、ミラー等を用いてもよい。
【００７６】
（変形例６）上記の各実施例では、情報表示装置２は、いわゆるカンガルーポケット型の表示パネル１０を備えている。これに限られず、表示パネルは、ディスプレイ２０を外部から視認可能な使用状態と、外部から視認不可能な収容状態と、を切り替え可能であれば、任意の構成の表示パネルを備えていてもよい。例えば、表示パネルが可動のカバーを備え、カバーを動かすことで、ディスプレイが被覆された状態（収容状態）と、ディスプレイが被覆されていない状態（使用状態）と、を切り替えられるように構成されていてもよい。
【００７７】
（変形例７）上記の第２実施例において、電源オン表示用ＬＥＤ５０は、ダイナミック点灯方式で点灯してもよい。その場合、電源オン表示用ＬＥＤ５０が発する光は、周期的なパルス波形を有していてもよい。また、光のピーク値の明るさレベル（即ちＨｉレベル）が、閾値Ｔｈ１及び閾値Ｔｈ２のレベルを上回っていてもよい。その場合、制御装置７０は、図８のＳ３０及びＳ３２において、制御装置７０は、センサ３０が検出する光の明るさレベルが、閾値Ｔｈ１（閾値Ｔｈ２）のレベル以上であるか否かを判断する際に、電源オン表示用ＬＥＤ５０が発する光のピーク値の明るさレベル（即ちＨｉレベル）が、閾値Ｔｈ１及び閾値Ｔｈ２のレベル以上であるか否かを判断してもよい。
【００７８】
（変形例８）上記の第３実施例においてＳ１０でＮＯと判断された後において、制御装置７０が、センサ３０が検出する光の明るさレベルを判断するための閾値は、１個（閾値Ｔｈ１）に限られず、複数個の異なる閾値であってもよい。その上で、制御装置７０は、センサ３０が検出する光の明るさレベルが属する明るさの範囲に応じて、異なる明度でバックライトを点灯させるようにしてもよい。
【００７９】
（変形例９）同様に、上記の第４実施例において、センサ３０が検出する光の明るさレベルを判断するための閾値は、センサ３０が検出する光の明るさレベルを判断するための閾値は、２個（閾値Ｔｈ１、閾値Ｔｈ２）に限られず、３個以上の異なる閾値であってもよい。その上で、制御装置７０は、センサ３０が検出する光の明るさレベルが属する明るさの範囲に応じて、異なる明度でバックライトを点灯させるようにしてもよい。
【００８０】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８１】
１：加熱調理器具
２：情報表示装置
４：筐体
１０：表示パネル
１２：前面パネル
１４：天面パネル
２０：ディスプレイ
２２：バックライト
２４：状態表示用ＬＥＤ
２６：操作部
３０：センサ
４０：導光パイプ
５０：電源オン表示用ＬＥＤ
７０：制御装置
【図１】
2020008265.tif 000003
【図２】
2020008265.tif 000004
【図３】
2020008265.tif 000005
【図４】
2020008265.tif 000006
【図５】
2020008265.tif 000007
【図６】
2020008265.tif 000008
【図７】
2020008265.tif 000009
【図８】
2020008265.tif 000010